【手続補正書】
【提出日】平成19年1月23日(2007.1.23)
【手続補正１】
【補正対象書類名】明細書
【補正対象項目名】特許請求の範囲
【補正方法】変更
【補正の内容】
【特許請求の範囲】
【請求項１】
少なくともオーディオ、及びビデオデータを含む第１のデータストリームと、
プログラムとして送出されるオーディオ、及びビデオデータを含む第２のデータストリームが多重化されたデータストリームを入力する入力手段と、
前記第１のデータストリームと第２のデータストリームを分離する分離手段と、
前記分離された第１のデータストリーム及び第２のデータストリームを記録する記録媒体と、
前記記録媒体に記録された第１のデータストリームを再生する再生手段と、
前記記録媒体の所定エリアを前記第１のデータストリームのみを記録可能なように制御する記録制御手段と
を有することを特徴とする記録装置。
【請求項２】
上記請求項１における記録装置において、前記入力手段は前記第１のデータストリームの伝送レートが、当該第１のデータストリームの符号化ビットレートに比して小さくなるように多重化されたデータストリームを入力することを特徴とする記録装置。
【請求項３】
上記請求項１における記録装置において、前記記録制御手段は、記録する領域が所定領域以下又はなくなった時に記録してある第１のデータストリームのうち最初に記録した順に消去して新たな第１のデータストリームを記録するように制御することを特徴とする記録装置。
【請求項４】
上記請求項１における記録装置において、前記第１のデータストリームは、少なくとも映像・音声コンテンツ及び／又はｅーコマース用コンテンツとからなることを特徴とする記録装置。
【請求項５】
上記請求項１における記録装置において、前記記録媒体はテレビジョン受像機に内蔵又は外付けにしたハードディスクであることを特徴とする記録装置。
【請求項６】
上記請求項１における記録装置において、前記第１のデータストリームの伝送レートは、前記第１及び第２のデータストリームの最大伝送レートが２４Ｍｂｐｓに対して２Ｍｂｐｓ前後であることを特徴とする記録装置。
【請求項７】
上記請求項１における記録装置において、前記記録媒体は視聴する頻度の高いジャンルの第１のデータストリームを優先して記録するようにしたことを特徴とする記録装置。
【請求項８】
上記請求項１における記録装置において、前記記録媒体は、予め特定したジャンルの第１のデータストリームを優先して記録するようにしたことを特徴とする記録装置。
【請求項９】
少なくともオーディオ、及びビデオデータを含む第１のデータストリームと、
プログラムとして送出されるオーディオ、及びビデオデータを含む第２のデータストリームが多重化されたデータストリームを入力する入力手段と、
前記第１のデータストリームと第２のデータストリームを分離する分離手段と、
前記分離された第１のデータストリーム及び第２のデータストリームを記録する記録媒体と、
前記記録媒体に記録された第１のデータストリームを再生する再生手段と、
前記記録媒体の所定エリアを前記第１のデータストリームのみを記録可能なように制御する記録制御手段とを有する記録装置であって、
前記記録媒体の領域は、プロバイダ専用領域とユーザ専用領域とに分離したことを特徴とする記録媒体。
【請求項１０】
少なくともオーディオ、及びビデオデータを含む第１のデータストリームと、
プログラムとして送出されるオーディオ、及びビデオデータを含む第２のデータストリームを記録する記録媒体と、
プロバイダーによって前記記録媒体の所定エリアに記録されている第１のデータストリームを再生する再生制御手段と
からなる再生装置。
【請求項１１】
上記請求項１０における再生装置において、前記第１のデータストリームは、少なくとも映像・音声コンテンツ及び／又はｅーコマース用コンテンツとからなることを特徴とする再生装置。
【請求項１２】
上記請求項１０における再生装置において、前記記録媒体はテレビジョン受像機に内蔵又は外付けにしたハードディスクであることを特徴とする再生装置。
【請求項１３】
少なくともオーディオ、及びビデオデータを含む第１のデータストリームと、
プログラムとして送出されるオーディオ、及びビデオデータを含む第２のデータストリームが多重化されたデータストリームを入力し、
前記第１のデータストリームと第２のデータストリームを分離し、
前記分離された第１のデータストリーム及び第２のデータストリームを所定の記録媒体に記録し、
前記記録媒体に記録された第１のデータストリームを再生し、
前記記録媒体の所定エリアを前記第１のデータストリームのみを記録可能なように制御すること
を特徴とする記録方法。
【請求項１４】
上記請求項１３における記録方法において、前記第１のデータストリームの伝送レートが、当該第１のデータストリームの符号化ビットレートに比して小さくなるように多重化されたデータストリームを入力するようにしたことを特徴とする記録方法。
【請求項１５】
上記請求項１３における記録方法において、前記記録媒体における記録する領域が所定領域以下又はなくなった時に記録してある第１のデータストリームのうち最初に記録した順に消去して新たな第１のデータストリームを記録するようにしたことを特徴とする記録方法。
【請求項１６】
上記請求項１３における記録方法において、前記第１のデータストリームは、少なくとも映像・音声コンテンツ及び／又はｅーコマース用コンテンツとからなることを特徴とする記録方法。
【請求項１７】
上記請求項１３における記録方法において、前記記録媒体はテレビジョン受像機に内蔵又は外付けにしたハードディスクであることを特徴とする記録方法。
【請求項１８】
上記請求項１３における記録方法において、前記第１のデータストリームの伝送レートは、前記第１及び第２のデータストリームの最大伝送レートが２４Ｍｂｐｓに対して２Ｍｂｐｓ前後であることを特徴とする記録方法。
【請求項１９】
上記請求項１３における記録方法において、前記記録媒体への記録は視聴する頻度の高いジャンルの第１のデータストリームを優先して記録するように制御することを特徴とする記録方法。
【請求項２０】
上記請求項１３における記録方法において、前記記録媒体への記録は、予め特定したジャンルの第１のデータストリームを優先して記録するように制御することを特徴とする記録方法。
【請求項２１】
少なくともオーディオ、及びビデオデータを含む第１のデータストリームと、
プログラムとして送出されるオーディオ、及びビデオデータを含む第２のデータストリームを記録媒体に記録し、
プロバイダーによって前記記録媒体の所定エリアに記録されている第１のデータストリームが再生できるようにしたこと
を特徴とする再生方法。
【請求項２２】
上記請求項２１における再生方法において、前記第１のデータストリームは、少なくとも映像・音声コンテンツ及び／又はｅーコマース用コンテンツとからなることを特徴とする再生方法。
【請求項２３】
上記請求項２１における再生方法において、前記記録媒体はテレビジョン受像機に内蔵又は外付けにしたハードディスクであることを特徴とする再生方法。
【手続補正２】
【補正対象書類名】明細書
【補正対象項目名】０００８
【補正方法】変更
【補正の内容】
【０００８】
（１）少なくともオーディオ、及びビデオデータを含む第１のデータストリームと、
プログラムとして送出されるオーディオ、及びビデオデータを含む第２のデータストリームが多重化されたデータストリームを入力する入力手段と、前記第１のデータストリームと第２のデータストリームを分離する分離手段と、前記分離された第１のデータストリーム及び第２のデータストリームを記録する記録媒体と、前記記録媒体に記録された第１のデータストリームを再生する再生手段と、前記記録媒体の所定エリアを前記第１のデータストリームのみを記録可能なように制御する記録制御手段とを有することを特徴とする記録装置。
（２）上記（１）における記録装置において、前記入力手段は前記第１のデータストリームの伝送レートが、当該第１のデータストリームの符号化ビットレートに比して小さくなるように多重化されたデータストリームを入力することを特徴とする記録装置。
（３）上記（１）における記録装置において、前記記録制御手段は、記録する領域が所定領域以下又はなくなった時に記録してある第１のデータストリームのうち最初に記録した順に消去して新たな第１のデータストリームを記録するように制御することを特徴とする記録装置。
（４）上記（１）における記録装置において、前記第１のデータストリームは、少なくとも映像・音声コンテンツ及び／又はｅーコマース用コンテンツとからなることを特徴とする記録装置。
（５）上記（１）における記録装置において、前記記録媒体はテレビジョン受像機に内蔵又は外付けにしたハードディスクであることを特徴とする記録装置。
（６）上記（１）における記録装置において、前記第１のデータストリームの伝送レートは、前記第１及び第２のデータストリームの最大伝送レートが２４Ｍｂｐｓに対して２Ｍｂｐｓ前後であることを特徴とする記録装置。
（７）上記（１）における記録装置において、前記記録媒体は視聴する頻度の高いジャンルの第１のデータストリームを優先して記録するようにしたことを特徴とする記録装置。
（８）上記（１）における記録装置において、前記記録媒体は、予め特定したジャンルの第１のデータストリームを優先して記録するようにしたことを特徴とする記録装置。
【手続補正３】
【補正対象書類名】明細書
【補正対象項目名】０００９
【補正方法】変更
【補正の内容】
【０００９】
（９）少なくともオーディオ、及びビデオデータを含む第１のデータストリームと、プログラムとして送出されるオーディオ、及びビデオデータを含む第２のデータストリームが多重化されたデータストリームを入力する入力手段と、前記第１のデータストリームと第２のデータストリームを分離する分離手段と、前記分離された第１のデータストリーム及び第２のデータストリームを記録する記録媒体と、前記記録媒体に記録された第１のデータストリームを再生する再生手段と、前記記録媒体の所定エリアを前記第１のデータストリームのみを記録可能なように制御する記録制御手段とを有する記録装置であって、前記記録媒体の領域は、プロバイダ専用領域とユーザ専用領域とに分離したことを特徴とする記録媒体。
【手続補正４】
【補正対象書類名】明細書
【補正対象項目名】００１０
【補正方法】変更
【補正の内容】
【００１０】
（１０）少なくともオーディオ、及びビデオデータを含む第１のデータストリームと、
プログラムとして送出されるオーディオ、及びビデオデータを含む第２のデータストリームを記録する記録媒体と、プロバイダーによって前記記録媒体の所定エリアに記録されている第１のデータストリームを再生する再生制御手段とからなる再生装置。
（１１）上記（１０）における再生装置において、前記第１のデータストリームは、少なくとも映像・音声コンテンツ及び／又はｅーコマース用コンテンツとからなることを特徴とする再生装置。
（１２）上記（１０）における再生装置において、前記記録媒体はテレビジョン受像機に内蔵又は外付けにしたハードディスクであることを特徴とする再生装置。
【手続補正５】
【補正対象書類名】明細書
【補正対象項目名】００１１
【補正方法】変更
【補正の内容】
【００１１】
（１３）少なくともオーディオ、及びビデオデータを含む第１のデータストリームと、プログラムとして送出されるオーディオ、及びビデオデータを含む第２のデータストリームが多重化されたデータストリームを入力し、前記第１のデータストリームと第２のデータストリームを分離し、前記分離された第１のデータストリーム及び第２のデータストリームを所定の記録媒体に記録し、前記記録媒体に記録された第１のデータストリームを再生し、前記記録媒体の所定エリアを前記第１のデータストリームのみを記録可能なように制御することを特徴とする記録方法。
（１４）上記（１３）における記録方法において、前記第１のデータストリームの伝送レートが、当該第１のデータストリームの符号化ビットレートに比して小さくなるように多重化されたデータストリームを入力するようにしたことを特徴とする記録方法。
（１５）上記（１３）における記録方法において、前記記録媒体における記録する領域が所定領域以下又はなくなった時に記録してある第１のデータストリームのうち最初に記録した順に消去して新たな第１のデータストリームを記録するようにしたことを特徴とする記録方法。
（１６）上記（１３）における記録方法において、前記第１のデータストリームは、少なくとも映像・音声コンテンツ及び／又はｅーコマース用コンテンツとからなることを特徴とする記録方法。
（１７）上記（１３）における記録方法において、前記記録媒体はテレビジョン受像機に内蔵又は外付けにしたハードディスクであることを特徴とする記録方法。
（１８）上記（１３）における記録方法において、前記第１のデータストリームの伝送レートは、前記第１及び第２のデータストリームの最大伝送レートが２４Ｍｂｐｓに対して２Ｍｂｐｓ前後であることを特徴とする記録方法。
（１９）上記（１３）における記録方法において、前記記録媒体への記録は視聴する頻度の高いジャンルの第１のデータストリームを優先して記録するように制御することを特徴とする記録方法。
（２０）上記（１３）における記録方法において、前記記録媒体への記録は、予め特定したジャンルの第１のデータストリームを優先して記録するように制御することを特徴とする記録方法。
【手続補正６】
【補正対象書類名】明細書
【補正対象項目名】００１２
【補正方法】変更
【補正の内容】
【００１２】
（２１）少なくともオーディオ、及びビデオデータを含む第１のデータストリームと、プログラムとして送出されるオーディオ、及びビデオデータを含む第２のデータストリームを記録媒体に記録し、プロバイダーによって前記記録媒体の所定エリアに記録されている第１のデータストリームが再生できるようにしたことを特徴とする再生方法。
（２２）上記（２１）における再生方法において、前記第１のデータストリームは、少なくとも映像・音声コンテンツ及び／又はｅーコマース用コンテンツとからなることを特徴とする再生方法。
（２３）上記（２１）における再生方法において、前記記録媒体はテレビジョン受像機に内蔵又は外付けにしたハードディスクであることを特徴とする再生方法。